(57)【要約】【課題】レジン強化型の光重合型グラスアイオノマーセメントから成る歯科用ブラケット用接着剤を組成する２種類のペースト中に含有された光重合触媒がミキシングチップ内で光活性化されることがなく且つ歯科医師が視認できる材料から構成され、更にシリンジホルダに簡便且つ確実に係止固定することができるミキシングチップを提供する。【解決手段】ミキシングチップを、ミキシングエレメント１が内部に装着されたハウジング２と、一対のペースト注入口3a及び流路部3bを有しハウジング２の吐出口と反対側の端部に係止されるペースト案内部材３と、ハウジング２又はペースト案内部材３に固定又は一体に形成されている２つの係止部材とから成り、更にハウジング２とペースト案内部材３とが前記光重合触媒を光活性する波長の光を透過せず且つ該波長の光以外の光を透過する着色プラスチック材料から成る構成とする。【選択図】図１
2010022421.tif 000002
【特許請求の範囲】
【請求項１】
少なくともα−β不飽和カルボン酸重合体と水と該α−β不飽和カルボン酸重合体と反応しない充填剤とを含有する第１ペーストと、少なくともフルオロアルミノシリケートガラス粉末と酸基を持たない重合性モノマーとを含有する第２ペーストとから成り、且つ該両ペーストの何れか一方又は両方に光重合触媒を含有した２種類のペーストで構成されている歯列矯正用ブラケット用接着剤の各ペーストが収納された２本のシリンジが並列して配備されているシリンジホルダの先端に係止されるミキシングチップであって、
ミキシングエレメントが内部に装着されたハウジングと、２本のシリンジの各ノズルにそれぞれ取り付けられる一対のペースト注入口及び各シリンジからそれぞれ押し出されたペーストを該両ペースト注入口から該ハウジング内へと導く流路部を有し該ハウジングの吐出口と反対側に位置する端部に係止されるペースト案内部材と、該ペースト案内部材又は該ハウジングに固定又は一体に形成されていて前記シリンジホルダに形成された係止孔に係止される爪部とシリンジホルダに穿設された穴部に挿入される突起部とを有するか又は前記シリンジホルダに形成された２箇所の係止孔に挿入係止される一対の爪部を有する係止部材とから成り、該ハウジングと該ペースト案内部材とが前記光重合触媒を光活性する波長の光を透過せず且つ該波長の光以外の光を透過する着色プラスチック材料から構成されていることを特徴とするミキシングチップ。
【請求項２】
シリンジホルダと爪部との係止状態を解除するために爪部に更に解除機構が設けられている請求項１に記載のミキシングチップ。
【発明の詳細な説明】
【技術分野】
【０００１】
本発明は、少なくとも一方に光重合触媒を含有するレジン強化型グラスアイオノマーセメントから成る歯科用ブラケット用接着剤の２種類のペーストが収納された２本のシリンジが並列して固定されたシリンジホルダに簡便且つ確実に係止固定することができ、更にミキシングチップ内に両ペーストが流入・錬和した状態でも光重合触媒が光活性されてミキシングチップ内のペーストが光硬化したり硬化時間が短くなってしまうことがなく且つ歯科医師がミキシングチップ内に流入・錬和したペーストを視認することができる材料で構成されるミキシングチップに関するものである。
【背景技術】
【０００２】
歯科医療分野においては、歯列矯正用ブラケット用接着剤として、生体に対する親和性、審美性及び初期硬化時における水分による劣化防止等の点からレジン強化型の光重合型グラスアイオノマーセメントが広く用いられており、近年ではレジン強化型の光重合型グラスアイオノマーセメントとして、酸基を持たない重合性モノマーとフルオロアルミノシリケートガラス粉末とを混練した第１ペーストと、α−β不飽和カルボン酸重合体水溶液とこのα−β不飽和カルボン酸重合体と反応しない充填材とから成る第２ペーストとから成り少なくとも一方のペーストに光重合触媒を含む構成の両ペーストを使用直前に混合練和して使用するペーストタイプのものも使用されている（例えば、特許文献１参照。）。
【０００３】
このようなペーストタイプのレジン強化型の光重合型グラスアイオノマーセメントを構成する２種類のペーストを混練する場合、各ペーストが収納されたシリンジから押し出されたそれぞれのペーストを混練するために静的なミキシングチップがしばしば利用される。しかしながら、このミキシングチップが比較的長時間光に曝されるとペースト中に含有される光重合触媒が光活性化されてミキシングチップ内のペーストが光硬化したり硬化時間が短くなってしまう現象が発生するおそれがあるため、このミキシングチップは光重合触媒を光活性化する波長の光を透過しない材料で構成される必要がある。
【０００４】
また、歯科医師がこのペーストタイプのレジン強化型の光重合型グラスアイオノマーセメントを歯列矯正用ブラケット用接着剤として使用する場合、歯科医師は２本のシリンジから押し出された各ペーストが確実にミキシングチップ内に注入されているかを視認したり、ミキシングチップ内へ注入された各ペーストがあとどれくらいでミキシングチップの先端から混練されて押し出されるかを推測する必要があるため、このミキシングチップは歯科医師が視認できる材料から構成される必要がある。
【０００５】
更に、このようなミキシングチップは、２本のシリンジが並列に取り付けられたシリンジホルダの先端に係止固定されなければならないため、シリンジホルダに簡便に係止固定されることが求められている。このようなミキシングチップとしては、ミキシングチップ（ミキサ）の下端外面に差込突起を設け、シリンジホルダ（カートリッジ）にはミキシングチップの差込突起を受容する差込突片を設けて、ミキシングチップをその差込突起がシリンジホルダの差込突片と交差するようにして当接させ、凡そ９０度回転させて差込突起と差込突片とを係止固定するミキシングチップがある（例えば、特許文献２の図１８参照。）。しかしながら、このミキシングチップは回転係止させただけであるから、必ずしも確実に係止させることができず、外れないようにするには何らかの防止機構が必要となる。
【０００６】
また、より確実に係止固定できるものとしては、２本のシリンジを添わせた状態で各先端部分が１つの雄ねじを形成するようなシリンジを使用して、雄ねじが形成されたシリンジの先端部分にミキシングチップを当接させた状態で、これらを覆うようにカップリングナットを螺入させてミキシングチップとシリンジとを連結させるカートリッジがある（例えば、特許文献３参照。）。しかしながら、このカートリッジでは雄ねじ部分にカップリングナットを螺入しなければならないので、ミキシングチップの装着に手間がかかり、更に複数のシリンジを添わせた状態で雄ねじが形成されるような特殊な加工も必要となる。
【０００７】
【特許文献１】特開平１１−２２８３２７号公報
【特許文献２】特開平８−２７６１２５号公報
【特許文献３】特開平４−２３９４７７号公報
【発明の開示】
【発明が解決しようとする課題】
【０００８】
本発明は、前記従来技術の欠点を解消し、レジン強化型の光重合型グラスアイオノマーセメントから成る歯科用ブラケット用接着剤を構成する２種類のペーストの少なくとも一方に含有された光重合触媒がミキシングチップ内で光活性化されて歯科用ブラケット用接着剤が光硬化したり硬化時間が短くなってしまうことがなく且つ歯科医師がミキシングチップ内のペーストを視認することができる材料で構成されていて、更にシリンジホルダに簡便且つ確実に係止固定することができるミキシングチップを提供することを課題とする。
【課題を解決するための手段】
【０００９】
本発明者らは前記課題を解消すべく鋭意検討を重ねた結果、少なくともα−β不飽和カルボン酸重合体と水と該α−β不飽和カルボン酸重合体と反応しない充填剤とを含有する第１ペーストと、少なくともフルオロアルミノシリケートガラス粉末と酸基を持たない重合性モノマーとを含有する第２ペーストとから成り、且つ該両ペーストの何れか一方又は両方に光重合触媒を含有した２種類のペーストで構成されている歯列矯正用ブラケット用接着剤の各ペーストが収納された２本のシリンジが並列して配備されているシリンジホルダの先端に係止されるミキシングチップを、ミキシングエレメントが内部に装着されたハウジングと、２本のシリンジの各ノズルにそれぞれ取り付けられる一対のペースト注入口及び各シリンジからそれぞれ押し出されたペーストを該両ペースト注入口から該ハウジング内へと導く流路部を有し該ハウジングの吐出口と反対側に位置する端部に係止されるペースト案内部材と、該ペースト案内部材又は該ハウジングに固定又は一体に形成されていて前記シリンジホルダに形成された係止孔に係止される爪部とシリンジホルダに穿設された穴部に挿入される突起部とを有するか又は前記シリンジホルダに形成された２箇所の係止孔に挿入係止される一対の爪部を有する係止部材とから成り、該ハウジングと該ペースト案内部材とが前記光重合触媒を光活性する波長の光を透過せず且つ該波長の光以外の光を透過する着色プラスチック材料から構成させれば、ミキシングチップは光重合触媒を光活性する波長の光を透過せず且つ該波長の光以外の光を透過する着色プラスチック材料から構成されているので、ミキシングチップ内で歯科用ブラケット用接着剤を組成する２種類のペーストの少なくとも一方に含有された光重合触媒が光活性されて歯科用ブラケット用接着剤が光硬化したり硬化時間が短くなってしまうことがなく且つ歯科医師がミキシングチップ内のペーストを視認することができ、またミキシングチップはシリンジホルダに差し込むだけで２つの係止部材によって係止されるので、非常に簡便に係止固定することができ且つこの２つの係止部材がシリンジホルダに形成された係止孔に係止される爪部とシリンジホルダに穿設された穴部に挿入される突起部とであるか、又はそれぞれシリンジホルダに形成された係止孔に係止される一対の爪部とすることにより、爪部で確実にシリンジホルダに係止固定することができることを究明して本発明を完成したのである。
【００１０】
即ち、本発明は少なくともα−β不飽和カルボン酸重合体と水と該α−β不飽和カルボン酸重合体と反応しない充填剤とを含有する第１ペーストと、少なくともフルオロアルミノシリケートガラス粉末と酸基を持たない重合性モノマーとを含有する第２ペーストとから成り、且つ該両ペーストの何れか一方又は両方に光重合触媒を含有した２種類のペーストで構成されている歯列矯正用ブラケット用接着剤の各ペーストが収納された２本のシリンジが並列して配備されているシリンジホルダの先端に係止されるミキシングチップであって、ミキシングエレメントが内部に装着されたハウジングと、２本のシリンジの各ノズルにそれぞれ取り付けられる一対のペースト注入口及び各シリンジからそれぞれ押し出されたペーストを該両ペースト注入口から該ハウジング内へと導く流路部を有し該ハウジングの吐出口と反対側に位置する端部に係止されるペースト案内部材と、該ペースト案内部材又は該ハウジングに固定又は一体に形成されていて前記シリンジホルダに形成された係止孔に係止される爪部とシリンジホルダに穿設された穴部に挿入される突起部とを有するか又は前記シリンジホルダに形成された２箇所の係止孔に挿入係止される一対の爪部を有する係止部材とから成り、該ハウジングと該ペースト案内部材とが前記光重合触媒を光活性する波長の光を透過せず且つ該波長の光以外の光を透過する着色プラスチック材料から構成されていることを特徴とするミキシングチップである。
【００１１】
そして、シリンジホルダと爪部との係止状態を解除するために爪部に更に解除機構が設けられていれば、容易にミキシングチップの交換ができて好ましいのである。
【発明の効果】
【００１２】
本発明に係るミキシングチップは、少なくともα−β不飽和カルボン酸重合体と水と該α−β不飽和カルボン酸重合体と反応しない充填剤とを含有する第１ペーストと、少なくともフルオロアルミノシリケートガラス粉末と酸基を持たない重合性モノマーとを含有する第２ペーストとから成り、且つ該両ペーストの何れか一方又は両方に光重合触媒を含有した２種類のペーストで構成されている歯列矯正用ブラケット用接着剤の各ペーストが収納された２本のシリンジが並列して配備されているシリンジホルダの先端に係止されるミキシングチップであって、ミキシングエレメントが内部に装着されたハウジングと、２本のシリンジの各ノズルにそれぞれ取り付けられる一対のペースト注入口及び各シリンジからそれぞれ押し出されたペーストを該両ペースト注入口から該ハウジング内へと導く流路部を有し該ハウジングの吐出口と反対側に位置する端部に係止されるペースト案内部材と、該ペースト案内部材又は該ハウジングに固定又は一体に形成されていて前記シリンジホルダに形成された係止孔に係止される爪部とシリンジホルダに穿設された穴部に挿入される突起部とを有するか又は前記シリンジホルダに形成された２箇所の係止孔に挿入係止される一対の爪部を有する係止部材とから成るので、シリンジホルダに差し込むだけで非常に簡便且つ確実に係止固定することができ、またこのミキシングチップを構成する部材の中でハウジングとペースト案内部材とが前記光重合触媒を光活性する波長の光を透過せず且つ該波長の光以外の光を透過する着色プラスチック材料から構成されているので、ミキシングチップが長時間光に曝された場合でもミキシングチップ内で光重合触媒が光活性されて歯科用ブラケット用接着剤を光硬化したり硬化時間が短くなってしまうことがなく且つ歯科医師がミキシングチップ内のペーストを視認することができるのである。
【００１３】
更に、シリンジホルダと爪部との係止状態を解除するために爪部に解除機構が設けられている場合には、ミキシングチップの取り外しや交換が容易にできるのである。
【発明を実施するための最良の形態】
【００１４】
以下、図面を用いて本発明に係るミキシングチップについて詳細に説明する。
図１は本発明に係るミキシングチップの１実施例を分解した様子を示す斜視説明図、図２は図１の本発明に係るミキシングチップがシリンジホルダに係止固定される前の様子を示す側面図、図３は図１の本発明に係るミキシングチップがシリンジホルダに係止固定された様子を示す側面図、図４は本発明に係るミキシングチップの爪部を示す拡大斜視図、図５は本発明に係るミキシングチップの爪部が係止されるシリンジホルダの係止孔を示す斜視図、図６は係止部材として２つの爪部が設けられた本発明に係るミキシングチップの他の実施例を示す側面図、図７は本発明に係るミキシングチップの更に他の実施例を示す側面図、図８は本発明に係るミキシングチップの爪部に設けられている解除機構を示す拡大斜視図、図９は本発明に係るミキシングチップを取り外す様子を示す説明図、図１０はペースト案内部材の内部の様子を示す断面説明図である。
【００１５】
図面中、１はハウジング２の内部に装着されているミキシングエレメントであり、このミキシングエレメント１としては、本発明で使用される少なくともα−β不飽和カルボン酸重合体と水とこのα−β不飽和カルボン酸重合体と反応しない充填剤とを含有する第１ペーストと、少なくともフルオロアルミノシリケートガラス粉末と酸基を持たない重合性モノマーとを含有する第２ペーストとから成り、且つ両ペーストの何れか一方又は両方に光重合触媒を含有した２種類のペーストで構成されている歯列矯正用ブラケット用接着剤の各ペーストが十分に混練できるものであれば、特に限定はない。
【００１６】
ハウジング２は、歯科用ブラケット用接着剤を構成するペーストに含有されている光重合触媒を光活性する波長の光を透過せず且つその波長の光以外の光を透過する着色プラスチック材料から構成されている。この波長は、例えば光重合触媒としてカンファーキノンと３級アミンとを組み合わせたものを使用する場合には４５０ｎｍ以上〜４９０ｎｍ以下、アシルフォスフィンオキサイドを使用する場合には３７０ｎｍ以上〜４１０ｎｍ未満の範囲である。したがって、使用する光重合触媒に合わせてその光重合触媒を光活性する波長の光を透過しない着色プラスチック材料を選択することにより、ミキシングチップが比較的長時間光に曝された場合であっても、ハウジング２内のペーストに含有されている光重合触媒が光活性化されてハウジング２内のペーストが光硬化したり硬化時間が短くなってしまうことを防止できるのである。例えば、光重合触媒としてカンファーキノンと３級アミンとを組み合わせたものを使用する場合には、黄色味を帯びたプラスチック材料を選択する。また、このような着色プラスチック材料は光重合触媒を光活性する波長の光以外の光を透過するため、歯科医師は２本のシリンジＹ，Ｙから押し出された各ペーストがミキシングチップ内に確実に注入されているかを視認したり、ミキシングチップ内へ注入された各ペーストがあとどれくらいでミキシングチップの先端から混練されて押し出されるかを推測できるのである。
【００１７】
３は、ハウジング２と同様に光重合触媒を光活性する波長の光を透過せず且つその波長の光以外の光を透過する着色プラスチック材料から構成されていて、２本のシリンジＹ，Ｙのノズルに取り付けられるペースト注入口3a及び各シリンジＹ，Ｙからそれぞれ押し出されたペーストをこのペースト注入口3aからハウジング２内へと導く流路部3bを有し、このハウジング２の吐出口と反対側に位置する端部に固定されているペースト案内部材である。このペースト案内部材３の流路部3bは、シリンジＹ，Ｙとハウジング２とを繋ぐ流路であり、各流路部3bの断面積比や体積比を工夫することで、練和開始初期から適正な比率の練和物を得ることができるようになる。
【００１８】
４及び５は、ペースト案内部材３又はハウジング２に固定又は一体に形成されていて、シリンジホルダＸに係止固定させるための係止部材であって、４はシリンジホルダＸに形成された係止孔Xaに係止される爪部であり、５はシリンジホルダＸに穿設された穴部Xbに挿入される突起部である。本発明に係るミキシングチップでは、このような係止部材を２つ有していて、２つの係止部材は、シリンジホルダＸに形成された係止孔Xaに係止される爪部４とシリンジホルダＸに穿設された穴部Xbに挿入される突起部５とであるか、又はそれぞれシリンジホルダＸに形成された係止孔Xa，Xaに係止される一対の爪部４，４であり、少なくとも一方が爪部４となっていて、ミキシングチップをシリンジホルダＸに確実に係止固定できるのである。
【００１９】
図２の態様では、係止部材がそれぞれ爪部４と突起部５とであり、爪部４は内側に向けて凸状をなしていて、シリンジホルダＸに形成された係止孔Xaに係止される。一方、突起部５はシリンジホルダＸに穿設された穴部Xbに挿入されるだけであるが、２点で係止されているので、本発明に係るミキシングチップはがたつくことなく、確実に係止固定することができるのである。また図６の如く、２つの係止部材がそれぞれ爪部４である場合には、更に確実に係止固定させることもできる。
【００２０】
６はシリンジホルダＸと爪部４との係止状態を解除するために爪部４に更に設けられている解除機構であり、２つの係止部材のうち、シリンジホルダＸから取り外せないように係止されるのは爪部４だけであるから、この解除機構６によって爪部４の係止状態を解除すれば、容易にミキシングチップを取り外すことができる。
【００２１】
このような本発明に係るミキシングチップを製作する場合、ハウジング２はその内部にミキシングエレメント１が装着されるために、ミキシングエレメント１とペースト案内部材３とは一体的に成形することが難しいので、それぞれ別体のものを製作して固定する。
これに対して、ペースト案内部材３と２つの係止部材とは、全てを一体的に成形させたり、これらのうち少なくとも２つを一体的に成形させたり、図１の如く全てを個々に製作して互いに固定させたりすることができる。
【００２２】
本発明に係るミキシングチップを実際にシリンジホルダＸの先端に係止固定するには、図２の如く、本発明に係るミキシングチップを２本のシリンジＹ，Ｙが並列して固定されたシリンジホルダＸの先端に向けて押し込むようにするだけで、簡単に係止固定することができる。
【００２３】
また図２の態様では、本発明に係るミキシングチップは爪部４に比べて突起部５が突出したような形状をなしており、シリンジホルダＸもこれに合わせて先端側が斜めに削られたような形状をなしているので、誤った方向から係止固定しようとしても早期に気付き、ミキシングチップを破損させることはない。
【００２４】
次に、本発明に係るミキシングチップでは、図３の如く、ペースト案内部材３のペースト注入口3aが、シリンジＹ，Ｙのノズルに直接取り付けられるが、従来のミキシングチップ（特許文献２等）では装着時にミキシングチップを回転させなければならないので、ペースト注入口をシリンジのノズルに直接取り付けることができなかった。そのため従来はシリンジのノズルから単に真っ直ぐ押し出されたペーストがペースト案内部材内部へと流れ込むだけであったため、流路となるミキシングチップ内部が角張ったものとなっている場合には、粘性の高いペーストの流れだけが滞ったり、流路が直線的になっている場合には、粘性の低いペーストだけが先にハウジングに到達して、適正な比率の練和物が得られないという問題が生じ易かったのである。
【００２５】
これに対して本発明に係るミキシングチップでは、図１０に示すようにシリンジＹ，Ｙのノズルから押し出された第１ペースト及び第２ペーストを流路部3bに直接導いているので、押し出された直後から各ペーストの流れ方向を容易に変えることができ、従来のような真っ直ぐ押し出された各ペーストが角張った流路で滞ったりすることがなく、更に各流路部3bの断面積比や体積比を工夫することで、粘性の低いペーストだけが先にハウジング２に到達するようなことがなくなるので練和開始初期から適正な比率の練和物を得ることが可能である。
【００２６】
本発明に係るミキシングチップでは、使用される少なくともα−β不飽和カルボン酸重合体と水とこのα−β不飽和カルボン酸重合体と反応しない充填剤とを含有する第１ペーストと、少なくともフルオロアルミノシリケートガラス粉末と酸基を持たない重合性モノマーとを含有する第２ペーストとから成り、且つ両ペーストの何れか一方又は両方に光重合触媒を含有した２種類のペーストで構成されている歯列矯正用ブラケット用接着剤の各ペーストが混合・練和されることにより第１ペースト中のα−β不飽和カルボン酸重合体と第２ペースト中のフルオロアルミノシリケートガラス粉末とのイオン反応により緩やかに硬化反応が進み、ミキシングチップから押し出されて歯牙の表面や歯列矯正用のブラケットの裏面に適用された状態で光照射装置により照射された光によってペースト中に含有されている光重合触媒が光活性されることにより短時間で硬化して、歯牙と歯列矯正用のブラケットとを接着させることができるのである。そして、ハウジング２とペースト案内部材３とがペースト中に含有されている光重合触媒を光活性する波長の光を透過せず且つその波長の光以外の光を透過する着色プラスチック材料から構成されているので、混合・錬和された歯列矯正用ブラケット用接着剤はミキシングチップから押し出されるまでペースト中に含有されている光重合触媒が光活性されることにより光硬化したり硬化時間が短くなってしまうことがないのである。
また、歯列矯正用ブラケットを歯牙の表面に接着するための歯列矯正用ブラケット用接着剤の使用量は比較的少量であるから、シリンジＹ，Ｙ内に未使用のペーストが残るので、ミキシングチップを交換することによって後日使用することができる。したがって、本発明に係るミキシングチップは、使用後の交換が容易にできるか否かも非常に重要となる。
【００２７】
そのため、本発明に係るミキシングチップにおいては、少なくとも１つの爪部４に更に解除機構６が設けられていると、容易にシリンジホルダＸと爪部４との係止状態を解除することができて好ましいのである。解除機構６は例えば、図８の如く、爪部４をミキシングチップの外面側に突出した部位とその周囲の溝部とで構成させ、この突出した部位を押せば、てこの原理でシリンジホルダＸの係止孔Xaに係止された爪部４の部位が浮き上がるようにすることができる。そして、図９の如く、この突出した部位を押しながらミキシングチップを引き抜けば容易に交換ができるのである。また、この突出した部位の近傍に、図７、図８及び図９の如き指を引っかけるための凸状部７を設けておけば、ミキシングチップをより引き抜き易くて好ましいのである。
【図面の簡単な説明】
【００２８】
【図１】本発明に係るミキシングチップの１実施例を分解した様子を示す斜視説明図である。
【図２】図１の本発明に係るミキシングチップがシリンジホルダに係止固定される前の様子を示す側面図である。
【図３】図１の本発明に係るミキシングチップがシリンジホルダに係止固定された様子を示す側面図である。
【図４】本発明に係るミキシングチップの爪部を示す拡大斜視図である。
【図５】本発明に係るミキシングチップの爪部が係止されるシリンジホルダの係止孔を示す斜視図である。
【図６】係止部材として２つの爪部が設けられている本発明に係るミキシングチップの他の実施例を示す側面図である。
【図７】本発明に係るミキシングチップの更に他の実施例を示す側面図である。
【図８】本発明に係るミキシングチップの爪部に設けられている解除機構を示す拡大斜視図である。
【図９】本発明に係るミキシングチップを取り外す様子を示す説明図である。
【図１０】ペースト案内部材の内部の様子を示す断面説明図である。
【符号の説明】
【００２９】
１  ミキシングエレメント
２  ハウジング
３  ペースト案内部材
3a  ペースト注入口
3b  流路部
４  爪部
５  突起部
６  解除機構
７  凸状部
Ｘ  シリンジホルダ
Xa  係止孔
Xb  穴部
Ｙ  シリンジ
【図１】
2010022421.tif 000003
【図２】
2010022421.tif 000004
【図３】
2010022421.tif 000005
【図４】
2010022421.tif 000006
【図５】
2010022421.tif 000007
【図６】
2010022421.tif 000008
【図７】
2010022421.tif 000009
【図８】
2010022421.tif 000010
【図９】
2010022421.tif 000011
【図１０】
2010022421.tif 000012